(57)【要約】      （修正有）【課題】緊急脱出時にガラスを割る器具としての機能を備えながらソケット側の電極との電気的な接続状態を安定的に確立できるシガーライタープラグを提供する。【解決手段】筐体１０の端部から突出する電極２０の先端部２１がガラスを割るための尖頭形状を有するシガーライタープラグ１において、先端部２１にバネ３０を介して被せられ、ソケット側の電極と平面で接触するキャップ４０を有する。【選択図】図１
0003201308.tif 000002
【実用新案登録請求の範囲】
【請求項１】
筐体の端部から突出する電極の先端部が尖頭形状を有するシガーライタープラグにおいて、
前記先端部にバネを介して被せられ、ソケット側の電極と平面で接触するキャップを有する、
ことを特徴とするシガーライタープラグ。
【請求項２】
筐体の端部から突出する電極の先端部が尖頭形状を有するシガーライタープラグにおいて、
前記先端部に被せられる錐体状キャップを有し、
前記錐体状キャップの頂点には開口部が設けられ、
前記開口部には、シガーライターソケット側の電極と接触するための接触子が遊動的に設けられ、
前記接触子と前記先端部とを電気的に接続すると共に、前記接触子を前記シガーライターソケット側の電極に押圧するバネが前記接触子と前記先端部との間に挿入される、
ことを特徴とするシガーライタープラグ。
【請求項３】
請求項２記載のシガーライタープラグにおいて、
前記先端部は円柱状の基台部の端部に設けられ、
前記基台部の外周に沿ってネジが切られ、
前記錐体状キャップは、円筒の端部に設けられ、
前記円筒の内周に沿ってネジが切られ、
前記基台部の外周に沿って切られたネジと前記円筒の内周に沿って切られたネジとが螺合する、
ことを特徴とするシガーライタープラグ。
【請求項４】
請求項２または３に記載のシガーライタープラグにおいて、
前記錐体状キャップは、プラスチック製であり、
前記錐体状キャップの壁面には、複数の孔が開けられている、
ことを特徴とするシガーライタープラグ。
【請求項５】
請求項２または３記載のシガーライタープラグにおいて、
前記錐体状キャップは、プラスチック製であり、
前記錐体状キャップの壁面には、錐体の中心から放射線状に溝が設けられている、
ことを特徴とするシガーライタープラグ。
【請求項６】
請求項１から５のいずれか１項に記載のシガーライタープラグにおいて、
シートベルトカッタを有する、
ことを特徴とするシガーライタープラグ。
【請求項７】
請求項６記載のシガーライタープラグにおいて、
前記シートベルトカッタは、
シートベルトを切断するための刃と、
前記刃を保持する上顎部と、
シートベルトを前記刃に導くための下顎部とを有する、
ことを特徴とするシガーライタープラグ。
【請求項８】
請求項７記載のシガーライタープラグにおいて、
前記下顎部は、前記上顎部に対して弾性を有して取付けられる、
ことを特徴とするシガーライタープラグ。
【請求項９】
請求項１から８のいずれか１項に記載のシガーライタープラグにおいて、
シガーライターソケットから抜去されたときに動作する抜去時動作部と、
前記抜去時動作部に電力を供給する充電式電池と、
前記充電式電池からの前記抜去時動作部への電力供給をオン／オフするスイッチと、
を有し、
前記充電式電池は、シガーライターソケット側から供給される電力によって充電される、
ことを特徴とするシガーライタープラグ。
【請求項１０】
請求項９記載のシガーライタープラグにおいて、
前記抜去時動作部は、発光部とレーザポインタ部と音響信号発生部とを有する、
ことを特徴とするシガーライタープラグ。
【請求項１１】
請求項１から１０のいずれか１項に記載のシガーライタープラグにおいて、
方位磁石を有する、
ことを特徴とするシガーライタープラグ。
【考案の詳細な説明】
【技術分野】
【０００１】
本考案は、シガーライタープラグに関する。
【背景技術】
【０００２】
シガーライタープラグは、たとえば携帯電話やノートパソコンなどの電子機器と接続され、シガーライターソケットに差し込まれることにより、自動車のバッテリの電力を接続された機器に供給することができる（たとえば特許文献１参照）。
【０００３】
一方で、自動車で事故などに巻き込まれた際に、ガラスを割って車内から緊急脱出するために、ガラスを割る器具がある（たとえば特許文献２参照）。そこで、シガーライタープラグの電極を頑丈な金属などによって形成し、さらに、この電極の先端部を尖らせて、緊急脱出時にガラスを割る器具としての機能を備えたものがある。
【先行技術文献】
【特許文献】
【０００４】
【特許文献１】特開平９−２８３２３１号公報
【特許文献２】特開２０１３−８５８９３号公報
【考案の概要】
【考案が解決しようとする課題】
【０００５】
緊急脱出時にガラスを割る器具としての機能を備えたシガーライタープラグは、電極の先端部が尖っている必要がある。このため、シガーライタープラグ側の電極とシガーライターソケット側の電極との接触が点になるため、広い接触面積を確保できない。これによれば、自動車の振動などにより、シガーライタープラグ側の電極とシガーライターソケット側の電極との電気的な接続状態が損なわれる可能性がある。
【０００６】
また、一般的なシガーライタープラグの電極は、遊動的であり、かつバネで押圧力が加えられており、自動車の振動などがあっても、シガーライターソケット側の電極と常時密着するようになっている。これに対し、緊急脱出時にガラスを割る器具としての機能を備えたシガーライタープラグは、電極によってガラスに打撃を加える際に、電極が遊動的であっては打撃の威力が低減するため、固定的になっている。これによれば、自動車の振動などにより、シガーライタープラグ側の電極とシガーライターソケット側の電極との電気的な接続状態が損なわれる可能性がある。
【０００７】
本考案は、このような背景の下に行われたものであって、緊急脱出時にガラスを割る器具としての機能を備えながらシガーライターソケット側の電極との電気的な接続状態を安定的に確立することができるシガーライタープラグを提供することを目的とする。
【課題を解決するための手段】
【０００８】
本考案は、筐体の端部から突出する電極の先端部が尖頭形状を有するシガーライタープラグにおいて、先端部にバネを介して被せられ、ソケット側の電極と平面で接触するキャップを有する、ことを特徴とするシガーライタープラグである。
【０００９】
あるいは、本考案は、筐体の端部から突出する電極の先端部が尖頭形状を有するシガーライタープラグにおいて、先端部に被せられる錐体状キャップを有し、錐体状キャップの頂点には開口部が設けられ、開口部には、シガーライターソケット側の電極と接触するための接触子が遊動的に設けられ、接触子と先端部とを電気的に接続すると共に、接触子をシガーライターソケット側の電極に押圧するバネが接触子と先端部との間に挿入される、ことを特徴とするシガーライタープラグである。
【００１０】
上述のシガーライタープラグにおいて、先端部は円柱状の基台部の端部に設けられ、基台部の外周に沿ってネジが切られ、錐体状キャップは、円筒の端部に設けられ、円筒の内周に沿ってネジが切られ、基台部の外周に沿って切られたネジと円筒の内周に沿って切られたネジとが螺合することができる。
【００１１】
上述のシガーライタープラグにおいて、錐体状キャップは、プラスチック製であり、錐体状キャップの壁面には、複数の孔が開けられているようにすることができる。
【００１２】
上述のシガーライタープラグにおいて、錐体状キャップは、プラスチック製であり、錐体状キャップの壁面には、錐体の中心から放射線状に溝が設けられているようにすることができる。
【００１３】
上述のシガーライタープラグにおいて、シートベルトカッタを有することができる。このシートベルトカッタは、シートベルトを切断するための刃と、刃を保持する上顎部と、シートベルトを刃に導くための下顎部とを有することができる。さらに、下顎部は、上顎部に対して弾性を有して取付けられることが好ましい。
【００１４】
上述のシガーライタープラグにおいて、シガーライターソケットから抜去されたときに動作する抜去時動作部と、抜去時動作部に電力を供給する充電式電池と、充電式電池からの抜去時動作部への電力供給をオン／オフするスイッチと、を有し、充電式電池は、シガーライターソケット側から供給される電力によって充電されるようにすることができる。たとえば、抜去時動作部は、発光部とレーザポインタ部と音響信号発生部とを有する。
【００１５】
上述のシガーライタープラグにおいて、方位磁石を有することもできる。
【考案の効果】
【００１６】
本考案のシガーライタープラグによれば、緊急脱出時にガラスを割る器具としての機能を備えながらシガーライターソケット側の電極との電気的な接続状態を安定的に確立することができる。
【図面の簡単な説明】
【００１７】
【図１】本考案の第一の実施の形態に係るシガーライタープラグの側面図であり、キャップとバネの取付形態を説明する図である。
【図２】図１のシガーライタープラグの側面図であり、キャップとバネが取付けられた状態を示す図である。
【図３】図２のシガーライタープラグの斜視図である。
【図４】本考案の第二の実施の形態に係るシガーライタープラグの要部構成を示す図であり、錐体状キャップと接触子とバネの取付形態を説明する図である。
【図５】図４のシガーライタープラグの要部の側面図であり、錐体状キャップと接触子とバネが取付けられた状態を示す図である。
【図６】図４の錐体状キャップを上から見た図である。
【図７】本考案の第三の実施の形態に係る錐体状キャップを上から見た図である。
【図８】本考案の第三の実施の形態に係る錐体状キャップを上から見た図であり、図７とは異なる例を示す図である。
【図９】本考案の第四の実施の形態に係る錐体状キャップを説明するための図である。
【図１０】本考案の第五の実施の形態に係るシガーライタープラグのシートベルトカッタ部分を抜き出して示す図である。
【図１１】本考案の第五の実施の形態に係るシガーライタープラグのシートベルトカッタ部分以外の要部を抜き出して示す図である。
【図１２】本考案の第五の実施の形態に係るシガーライタープラグの内部配線を示す回路図であり、シガーライタープラグがシガーライターソケットに挿入されたときのスイッチのオン／オフ状態と電流の流れを示す図である。
【図１３】本考案の第五の実施の形態に係るシガーライタープラグの内部配線を示す回路図であり、シガーライタープラグがシガーライターソケットから抜去されたときのスイッチのオン／オフ状態と電流の流れを示す図である。
【図１４】本考案の第五の実施の形態に係るシガーライタープラグの変形例を示す図である。
【考案を実施するための形態】
【００１８】
（第一の実施の形態）
本考案の第一の実施の形態に係るシガーライタープラグ１を図１〜図３を参照しながら説明する。シガーライタープラグ１は、たとえば携帯電話やノートパソコンなどの電子機器と接続され、不図示のシガーライターソケットに差し込まれることにより、自動車のバッテリの電力を接続された機器に供給することができる。さらに、シガーライタープラグ１は、自動車からの緊急脱出時にガラスを割るための器具としての機能を有する。
【００１９】
本実施の形態に係るシガーライタープラグ１は、図１に示すように、筐体１０の端部から突出する電極２０の先端部２１が尖頭形状を有し、先端部２１にバネ３０を介して被せられ、図２に示すように、シガーライターソケット側の電極１００と平面で接触するキャップ４０を有する。シガーライタープラグ１は、電極２０の他に、筐体１０の外壁に設けられ、シガーライターソケット側の電極１１０，１１１と接触する電極５０，５１を有する。一般的に、電極２０は正極で、電極５０，５１は負極である。
【００２０】
電極２０は、尖頭形状の先端部２１と、円柱状の基台部２２とを有する。キャップ４０は、シガーライターソケット側の電極１００と接触する平面部４１と、円筒部４２とを有する。キャップ４０は、バネ３０を介して先端部２１に被せられるが、このとき、キャップ４０と電極２０とがバネ３０を介して電気的に接続状態になる。さらに、キャップ４０の円筒部４２の内周部が電極２０の基台部２２の外周部と接触することによってもキャップ４０と電極２０とは電気的に接続状態になる。
【００２１】
また、キャップ４０は、電極２０に被せられると、キャップ４０の円筒部４０の内周部と電極２０の基台部２２の外周部との間の摩擦力によって、電極２０に保持される。よって、シガーライタープラグ１をガラスを割る器具として使用する際には、電極２０からキャップ４０を容易に取り外すことができる。
【００２２】
一方で、キャップ４０の平面部４１は、ソケット側の電極１００に面で接するので、広い接触面積を確保できると共に、バネ３０の反発力で、キャップ４０を電極１００に押圧する。これによれば、自動車の振動などの影響を受けることなく、シガーライタープラグ１側の電極２０とシガーライターソケット側の電極１００との電気的な接続状態が安定的に確立できる。
【００２３】
すなわち、シガーライタープラグ１によれば、緊急脱出時にガラスを割る器具としての機能を備えながらシガーライターソケット側の電極１００との電気的な接続状態を安定的に確立することができる。
【００２４】
（第二の実施の形態）
本考案の第二の実施の形態に係るシガーライタープラグ１ａについて図４〜図６を参照しながら説明する。第二の実施の形態に係るシガーライタープラグ１ａは、上述した第一の実施の形態に係るシガーライタープラグ１と一部が異なる。以下では、シガーライタープラグ１ａのシガーライタープラグ１とは異なる部分について主に説明し、シガーライタープラグ１と共通する部分についてはシガーライタープラグ１と共通の符号を付し、詳細な説明は省略する。
【００２５】
シガーライタープラグ１ａは、筐体１０の端部から突出する電極２０ａの先端部２１ａが尖頭形状を有し、先端部２１ａに被せられる錐体状キャップ６０を有する。図４〜図６の例では、錐体状キャップ６０は六角錐であるが、六角錐に限定されるものではなく、五角錐や八角錐などの様々な多角錐であってもよいし円錐であってもよい。錐体状キャップ６０の頂点には開口部６１が設けられ、開口部６１には、シガーライターソケット側の電極１００と接触するための接触子６２が遊動的に設けられる。さらに、接触子６２と電極２０ａの先端部２１ａとを電気的に接続すると共に、接触子６２を電極１００に押圧するバネ３０ａが接触子６２と先端部２１ａとの間に挿入される。さらに、シガーライタープラグ１ａは、先端部２１ａは円柱状の基台部２２ａの端部に設けられ、基台部２２ａの外周に沿ってネジ２３が切られ、錐体状キャップ６０は、円筒６３の端部に設けられ、円筒６３の内周に沿ってネジ６４が切られ、基台部２２ａの外周に沿って切られたネジ２３と円筒６３の内周に沿って切られたネジ６４とが螺合する。
【００２６】
錐体状キャップ６０は、円筒６３のネジ６４と基台部２２ａのネジ２３とが螺合することによって、電極２０ａに被せられる。よって、シガーライタープラグ１ａをガラスを割る器具として使用する際には、電極２０ａから錐体状キャップ６０を容易に取り外すことができる。その一方で、シガーライタープラグ１ａをガラスを割る器具として使用しないときには、錐体状キャップ６０と電極２０とは、ネジ２３とネジ６４との螺合によって強固に結合しているため、錐体状キャップ６０が電極２０から不意に外れることはない。
【００２７】
また、錐体状キャップ６０の接触子６２は、図５に示すように、シガーライターソケット側の電極１００に面で接するので、広い接触面積を確保できると共に、バネ３０ａの反発力で、接触子６２を電極１００に押圧する。これによれば、自動車の振動などの影響を受けることなく、シガーライタープラグ１ａ側の電極２０ａとシガーライターソケット側の電極１００との電気的な接続状態が安定的に確立できる。
【００２８】
すなわち、シガーライタープラグ１ａによれば、緊急脱出時にガラスを割る器具としての機能を備えながらシガーライターソケット側の電極１００との電気的な接続状態を安定的に確立することができる。
【００２９】
（第三の実施の形態）
本考案の第三の実施の形態に係る錐体状キャップ６０ａ，６０ｂを有するシガーライタープラグ１ｂ（図示省略）について図７および図８を参照しながら説明する。第三の実施の形態に係る錐体状キャップ６０ａ，６０ｂは、図６に示す第二の実施の形態に係る錐体状キャップ６０と一部が異なる。以下では、錐体状キャップ６０ａ，６０ｂの錐体状キャップ６０とは異なる部分について主に説明し、錐体状キャップ６０と共通する部分については錐体状キャップ６０と共通の符号を付し、詳細な説明は省略する。
【００３０】
錐体状キャップ６０ａ，６０ｂは、ポリカーボネイトなどのプラスチック製であり、その外壁に、複数の孔６５ａ，６５ｂが開けられている。図７の例では、開口部６１を取り巻くように、連続する孔６５ａが開けられている。図８の例では、開口部６１から円筒６３に向かう稜線上に、連続する孔６５ｂが開けられている。
【００３１】
図７の例では、開口部６１を取り巻く連続する孔６５ａが円周を描いて一巡しているが、この円周は、二巡、三巡とさらに増やしてもよい。あるいは、孔６５ａの配列は、開口部６１から円筒６３に向かって螺旋状であってもよい。また、図８の例では、錐体状キャップ６０ｂの稜線に孔６５ｂを配置したが、稜線に替えて稜線と稜線との間に配置してもよいし、稜線および稜線と稜線との間の双方に配置してもよい。あるいは、孔６５ａ，６５ｂは、錐体状キャップ６０ａ，６０ｂの外壁に、ランダムに配置されてもよい。また、図７、図８の例では、孔６５ａ，６５ｂを円形に図示したが楕円としたり四角形としたり三角形とするなど、様々な形状の孔を適用することができる。
【００３２】
錐体状キャップ６０ａ，６０ｂは、プラスチック製なので、シガーライタープラグ１ｂを、ガラスを割る器具として使用するときには、錐体状キャップ６０ａ，６０ｂを取り外さなくても、錐体状キャップ６０ａ，６０ｂを取付けたままでのガラス面への一撃によって、錐体状キャップ６０ａ，６０ｂは壊れる。このとき、錐体状キャップ６０ａ，６０ｂの外壁に開けられた複数の孔６５ａ，６５ｂは、ミシン目としての機能を果たすので、錐体状キャップ６０ａ，６０ｂの破損を容易にすることができる。これにより、自動車からの緊急脱出時に、錐体状キャップ６０ａ，６０ｂを取り外すための時間を短縮することができる。
【００３３】
すなわち、錐体状キャップ６０ａ，６０ｂを有するシガーライタープラグ１ｂによれば、緊急脱出時にガラスを割る器具としての機能を備えながらシガーライターソケット側の電極１００との電気的な接続状態を安定的に確立することができる。
【００３４】
（第四の実施の形態）
本考案の第四の実施の形態に係る錐体状キャップ６０ｃを有するシガーライタープラグ１ｃ（図示省略）について図９を参照しながら説明する。第四の実施の形態に係る錐体状キャップ６０ｃは、図６に示す第二の実施の形態に係る錐体状キャップ６０と一部が異なる。以下では、錐体状キャップ６０ｃの錐体状キャップ６０とは異なる部分について主に説明し、錐体状キャップ６０と共通する部分については錐体状キャップ６０と共通の符号を付し、詳細な説明は省略する。
【００３５】
錐体状キャップ６０ｃは、図４に示す錐体状キャップ６０と同様に、開口部６１には、接触子６２が挿入され、接触子６２は、バネ３０ｂを介して電極２０ｂに電気的に接続される。バネ３０ｂは、接触子６２側の径よりも電極２０ｂ側の径が大きくなるようにしてある。これによれば、バネ３０ｂの電極２０ｂに対する座りが良くなると共に、バネ３０ｂの電極２０ｂに対する接触面積も大きくなり、バネ３０ｂと電極２０ｂとの間の電気抵抗も減らすことができる。このようなラッパ状のバネ３０ｂは、図４に示すシガーライタープラグ１ａにおいてもバネ３０ａに替えて採用してもよい。
【００３６】
錐体状キャップ６０ｃは、ポリカーボネイトなどのプラスチック製であると共に、図９に示すように、錐体の中心から放射線状に溝６６を有する。錐体状キャップ６０ｃの溝６６を有する部分は、溝６６を有さない部分に比べると肉薄になっている。このため、錐体状キャップ６０ｃは、プラスチック製なので、シガーライタープラグ１ｃを、ガラスを割る器具として使用するときには、錐体状キャップ６０ｃを取り外さなくても、錐体状キャップ６０ｃを取付けたままでのガラス面への一撃によって、錐体状キャップ６０ｃは壊れる。このとき、錐体状キャップ６０ｃは、溝６６の部分が容易に壊れるので、錐体状キャップ６０ｃの破損を容易にすることができる。これにより、自動車からの緊急脱出時に、錐体状キャップ６０ｃを取り外すための時間を短縮することができる。
【００３７】
すなわち、錐体状キャップ６０ｃを有するシガーライタープラグ１ｃによれば、緊急脱出時にガラスを割る器具としての機能を備えながらシガーライターソケット側の電極１００との電気的な接続状態を安定的に確立することができる。
【００３８】
なお、図９の下段の図に示す筐体１０ａには、電極５０，５１の他に、突出部６７が配設されている。突出部６７は、シガーライタープラグ１ｃをシガーライターソケットに挿入したときに、筐体１０ａの外周とシガーライターソケットの内周との間の隙間に入り込み、シガーライタープラグ１ｃの振動を吸収することができる。突出部６７は、筐体１０ａと一体的に成形される。なお、突出部６７を、たとえばシリコンゴムなどのように、柔軟性を有するプラスチックで製造し、筐体１０ａに取り付けるようにしてもよい。あるいは、筐体１０ａを成形した後、突出部６７を、筐体１０ａとは異なる材質（シリコンゴムなど）を用いて筐体１０ａの上に二重成形してもよい。
【００３９】
（第五の実施の形態）
本考案の第五の実施の形態に係るシガーライタープラグ１ｄについて図１０〜図１３を参照しながら説明する。第五の実施の形態に係るシガーライタープラグ１ｄは、第一の実施の形態に係るシガーライタープラグ１と一部が異なる。以下では、シガーライタープラグ１ｄのシガーライタープラグ１とは異なる部分について主に説明し、シガーライタープラグ１と共通する部分についてはシガーライタープラグ１と共通の符号を付し、詳細な説明は省略する。
【００４０】
シガーライタープラグ１ｄは、図１０に示すように、筐体部１０ａと筐体部１０ｂとを有する。筐体部１０ａには、シガーライタープラグ１ｄをシガーライターソケットに取付けたときのガタを防ぐための突出部６７が配設されている。筐体１０ａの他の部材は、上述した実施の形態の筐体１０に備えられる部材と同じであるので、詳細な説明は省略する。筐体部１０ｂは、シートベルトカッタ７０を有する。シートベルトカッタ７０は、シートベルトを切断するための刃７１と、筐体１０ｂの一部として形成され、刃７１を保持する上顎部７２と、筐体１０ｂの一部として形成され、シートベルトを刃７１に導くための下顎部７３とを有する。
【００４１】
筐体１０ｂの材質は、たとえばＡＢＳ樹脂などのプラスチック製である。下顎部７３は、その付根から先端部までが一定の距離を有するので、下顎部７３は、上顎部７２に対して弾性を有して配設することができる。すなわち、下顎部７３と上顎部７２との間にシートベルトを挿入する際に、下顎部７３が弾性で上顎部７２から少し離れるので、シートベルトを挿入し易くなる。さらに、シートベルトを切断する際にも下顎部７３は上顎部７２に対して弾性で上下に揺れ動くので、上顎部７３に保持されている刃７１も上下に揺れ動くことができる。このため、シートベルトカッタ７０によれば、シートベルトを効率良く切断することができる。これにより、シガーライタープラグ１ｄによれば、自動車からの緊急脱出時に、ガラスを割ることができると共に、シートベルトを切断することができる。
【００４２】
その他に、筐体１０ｂは、発光ダイオード８０、レーザポインタ８１、発光ダイオード８０のスイッチ８２、レーザポインタ８１のスイッチ８３、警報器９２のスイッチ８４、発光ダイオード８０の反射板としてのパネル８５、パネル８５に被せられる透明なカバー８５ａ、警報音孔８６、ＵＳＢコンセント８７、ＵＳＢコンセント８７のインジケータ８８、パネル８９、コンパス９０、警報器９２としてのスピーカを備えている。さらに詳細には、図１１に示すように、コンパス９０を照明するための発光ダイオード９１を備えている。また、図１１に示すように、電極５０，５１は、金属部材９３をコの字型に折り曲げて形成され、電極２０ｂと共に、筐体１０ａに組み込まれる。このとき、金属部材９３のコの字型の開口端部にはスイッチ９４が配設される。スイッチ９４は、シガーライタープラグ１ｄがシガーライターソケットに挿入されるとコの字型の金属部材９３の開口端部がスイッチ９４側から離れるのでオフ状態となり、シガーライタープラグ１ｄがシガーライターソケットから抜去されるとコの字型の金属部材９３の開口端部がスイッチ９４側に押し込まれるのでオン状態となる。なお、図１１では、スイッチ９４を模式的に円柱状で図示したが、スイッチ９４は、たとえば、超小型のマイクロスイッチなどを用いることができる。
【００４３】
次に、シガーライタープラグ１ｄの発光ダイオード８０、レーザポインタ８１および警報器９２の動作を、図１２および図１３の回路図を参照しながら説明する。
【００４４】
図１２の回路図は、シガーライタープラグ１ｄがシガーライターソケットに挿入された状態の電流の流れを破線で示している。自動車側のキースイッチＫがオン状態であれば、自動車側のバッテリＢから正極である電極２０ｂに流入した電流が負極である電極５０，５１に向かって流れる。これにより、電極２０と電極５０，５１との間に配設された充電式電池９５は充電される。このとき、スイッチ９４はオフ状態であるため、発光ダイオード８０、レーザポインタ８１、警報器９２には電流は流れない。自動車側のキースイッチＫがオフ状態のときは、バッテリＢと充電式電池９５とは電気的に切り離される。
【００４５】
図１３の回路図は、シガーライタープラグ１ｄがシガーライターソケットから抜去された状態の電流の流れを破線で示している。シガーライタープラグ１ｄがシガーライターソケットから抜去されると、スイッチ９４はオン状態になる。これにより、充電式電池９５からオン状態であるスイッチ８２，８３，８４を介して発光ダイオード８０、レーザポインタ８１、警報器９２に電流が流れる。これにより、スイッチ８２，８３，８４がオン状態であり、シガーライタープラグ１ｄがシガーライターソケットから抜去されると、発光ダイオード８０とレーザポインタ８１が点灯し、警報器９２が鳴動する。このようにして、ユーザがシガーライタープラグ１ｄをシガーライターソケットから抜去することで、発光ダイオード８０、レーザポインタ８１、警報器９２を動作させることができる。このとき、ユーザは、あらかじめスイッチ８２，８３，８４のオン／オフ状態を設定しておくことにより、シガーライタープラグ１ｄの抜去時に動作させる抜去時動作部としての発光ダイオード８０、レーザポインタ８１、警報器９２を選択することができる。なお、スイッチ８２，８３，８４は、いずれも押下する毎にオンとオフとを交互に繰り返すスイッチである。
【００４６】
このように、シガーライタープラグ１ｄは、シガーライターソケットから抜去されたときに動作する抜去時動作部としての発光ダイオード８０、レーザポインタ８１、警報器９２と、抜去時動作部に電力を供給する充電式電池９５と、充電式電池９５からの抜去時動作部への電力供給をオン／オフするスイッチ８２，８３，８４と、を有し、充電式電池９５は、シガーライターソケット側から供給される電力によって充電される。これにより、シガーライタープラグ１ｄをシガーライターソケットから抜去するだけで、発光ダイオード８０、レーザポインタ８１、警報器９２を動作させることができる。このため、自動車からの緊急脱出時には、煩わしい操作を行うことなく、光や音で周囲に異常を知らせることができると共に、ユーザの周囲を照明し、脱出をし易くすることができる。
【００４７】
さらに、発光ダイオード８０、レーザポインタ８１、警報器９２は、スイッチ８２，８３，８４の操作によってもオン／オフすることができるので、ユーザは、抜去後のシガーライタープラグ１ｄを懐中電灯や防犯ブザーなどとして使用することもできる。また、コンパス９０によって、方位を調べることができる。コンパス９０を照明するための発光ダイオード９１は、図１２および図１３では図示を省略したが、発光ダイオード８０と連動し、シガーライタープラグ１ｄがシガーライターソケットから抜去されると点灯すると共に、スイッチ８２の操作によってオン／オフすることができる。あるいは、発光ダイオード９１のオン／オフスイッチを別に設けてもよい。
【００４８】
なお、図１０、図１１に例示したシガーライタープラグ１ｄは、ＵＳＢコンセント８７を有し、シガーライターソケット側から供給される電力をＵＳＢコンセント８７に接続される携帯電話やノートパソコンなどの電子機器に供給することができる。このとき、シガーライタープラグ１ｄは、シガーライターソケット側からの入力電圧を変圧してＵＳＢコンセント８７に出力することができる。また、充電中のＵＳＢコンセント８７を明示するために、充電中のＵＳＢコンセント８７については、インジケータ８８が点灯する。図１０、図１１では、ＵＳＢコンセント８７は、２個の例を示したがさらに多数あってもよいし、無くてもよい。また、コンパス９０および発光ダイオード９１は、無くてもよい。
【００４９】
また、シガーライタープラグ１ｄの変形例として、図１４に示すように、シガーライタープラグ１ｅでは、シートベルトカッタ７０ａの開口部がシガーライタープラグ１ｄとは反対の方向を向いている。これに伴い、シガーライタープラグ１ｅの上顎部７２ａ、下顎部７３ａについても、シガーライタープラグ１ｄの上顎部７２、下顎部７３とは反対の方向を向いている。
【符号の説明】
【００５０】
１，１ａ，１ｂ，１ｃ，１ｄ，１ｅ…シガーライタープラグ、１０，１０ａ，１０ｂ…筐体、２０，５０，５１…電極、３０，３０ａ…バネ、４０…キャップ、６０，６０ａ，６０ｂ，６０ｃ…錐体状キャップ、６１…開口部、６２…接触子、６３…円筒、６４…ネジ、６５…孔、６６…溝、７０…シートベルトカッタ、７１…刃、７２，７２ａ…上顎部、７３，７３ａ…下顎部、８０…発光ダイオード（抜去時動作部の一部、発光部）、８１…レーザポインタ（抜去時動作部の一部、レーザポインタ部）、９２…警報器（抜去時動作部の一部、音響信号発生部）
【図１】
0003201308.tif 000003
【図２】
0003201308.tif 000004
【図３】
0003201308.tif 000005
【図４】
0003201308.tif 000006
【図５】
0003201308.tif 000007
【図６】
0003201308.tif 000008
【図７】
0003201308.tif 000009
【図８】
0003201308.tif 000010
【図９】
0003201308.tif 000011
【図１０】
0003201308.tif 000012
【図１１】
0003201308.tif 000013
【図１２】
0003201308.tif 000014
【図１３】
0003201308.tif 000015
【図１４】
0003201308.tif 000016